(57)【特許請求の範囲】
【請求項１】
所定方向にのびた軸心の回りに複数のシリンダボアを有するシリンダブロックと、前記シリンダブロックに前記所定方向で対向したフロントハウジングと、前記シリンダブロック及び前記フロントハウジングにブロック側ラジアル軸受及びハウジング側ラジアル軸受をそれぞれ介して支持されたシャフトと、前記シャフトに備えた斜板と、前記複数のシリンダボアの各々に挿入されかつ前記斜板に前記所定方向で係合した片頭ピストンと、前記片頭ピストン及び前記斜板を介して前記シャフトに加わる圧縮反力を受けるスラスト軸受とを含む斜板式圧縮機において、前記スラスト軸受を前記シリンダブロックの前記複数のシリンダボアの間に備え、前記圧縮反力を前記シリンダブロックにて受けるようにしたことを特徴とする斜板式圧縮機。
【請求項２】
前記シャフトはその端部に外向きフランジ部を有し、前記シリンダブロックは前記ブロック側ラジアル軸受と前記外向きフランジ部との間に内向きフランジ部を有し、前記スラスト軸受は前記外向きフランジ部と前記内向きフランジ部との間に配置されている請求項１記載の斜板式圧縮機。
【請求項３】
前記外向きフランジ部を前記内向きフランジ部に向けて付勢した付勢手段を備えた請求項２記載の斜板式圧縮機。
【請求項４】
前記シャフトと前記シリンダブロックとに係合し、前記外向きフランジ部が前記内向きフランジ部から離間する向きへの前記シャフトの移動を阻止する補助スラスト軸受を備えた請求項２記載の斜板式圧縮機。
【発明の詳細な説明】
【０００１】
【発明の属する技術分野】
本発明は斜板式圧縮機に関する。
【０００２】
【従来の技術】
様々なタイプの斜板式圧縮機が知られており、その一例は特開平１−１９０９７４号公報に記載されている。斜板式圧縮機の他例として、図３に示すものがある。図示の斜板式圧縮機は、所定の軸方向にのびた軸心の回りに複数のシリンダボア１を有するシリンダブロック２と、シリンダブロック２の一端に軸方向で対向したフロントハウジング３と、シリンダブロック２及びフロントハウジング３にブロック側ラジアル軸受４及びハウジング側ラジアル軸受５をそれぞれ介して支持されたシャフト６と、シャフト６に備えた斜板７と、各シリンダボア１に挿入されかつ斜板７にシュー８を介して軸方向で係合した片頭ピストン９とを含んでいる。シリンダブロック２の他端には、バルブプレート１１を介してシリンダヘッド１２が固定されている。シリンダヘッド１２には吸入室１３及び吐出室１４が形成されている。
【０００３】
シャフト６にはローター１５が固定されるとともに、スリーブ１６が備えられている。斜板７はローター１５及びスリーブ１６に接続され、シャフト６に対する傾斜角を可変にされている。斜板７は通常の圧縮運転時にはシャフト６に対し傾斜している。
【０００４】
この斜板式圧縮機の運転時には、シャフト６が回転駆動される。シャフト６が回転すると、ローター１５及び斜板７も軸心の回りで回転する。斜板７の回転にしたがい、シュー８を介して片頭ピストン９がシリンダボア１内で往復駆動される。片頭ピストン９の往復により、流体を圧縮し吸入室１３からシリンダボア１を通して吐出室１４に移送する。この斜板式圧縮機は、斜板７の傾斜角の変化に応じて圧縮容量が変動する、所謂、容量可変タイプのものである。
【０００５】
流体の圧縮時に圧縮反力が生じる。この圧縮反力は、片頭ピストン９、シュー８、及び斜板７を介してシャフト６に伝わり、シャフト６及びローター１５をフロントハウジング３側に付勢することになる。この軸方向の圧縮反力を受けるため、ローター１５に対向したスラスト軸受１７をフロントハウジング３に備えている。
【０００６】
【発明が解決しようとする課題】
図３の斜板式圧縮機では、圧縮反力の軸方向規制をフロントハウジング３に設けたスラスト軸受１７で行っているため、圧縮に伴い内部の機構部で発生する軸方向振動が、主に斜板７、ローター１５、及びスラスト軸受１７にこの順に伝達される。この軸方向振動は、フロントハウジング３の径方向に延在した板部３ａ及びそれに取り付けられている電磁クラッチ（図示省略）などを振動させ、放射ノイズを発生する。
【０００７】
フロントハウジング３の剛性を高めることで、放射ノイズのレベルを下げる対策を実施していたが、限られた寸法の中では限界があり、有効な対策が施せない場合もあった。
【０００８】
それ故に本発明の課題は、内部の機構部で発生する軸方向振動に基づく放射ノイズの発生を低減した斜板式圧縮機を提供することにある。
【０００９】
本発明の他の課題は、軸方向寸法の縮小を可能にした斜板式圧縮機を提供することにある。
【００１０】
【課題を解決するための手段】
本発明によれば、所定方向にのびた軸心の回りに複数のシリンダボアを有するシリンダブロックと、前記シリンダブロックに前記所定方向で対向したフロントハウジングと、前記シリンダブロック及び前記フロントハウジングにブロック側ラジアル軸受及びハウジング側ラジアル軸受をそれぞれ介して支持されたシャフトと、前記シャフトに備えた斜板と、前記複数のシリンダボアの各々に挿入されかつ前記斜板に前記所定方向で係合した片頭ピストンと、前記片頭ピストン及び前記斜板を介して前記シャフトに加わる圧縮反力を受けるスラスト軸受とを含む斜板式圧縮機において、前記スラスト軸受を前記シリンダブロックの前記複数のシリンダボアの間に備え、前記圧縮反力を前記シリンダブロックにて受けるようにしたことを特徴とする斜板式圧縮機が得られる。
【００１１】
前記シャフトはその端部に外向きフランジ部を有し、前記シリンダフロックは前記ブロック側ラジアル軸受と前記外向きフランジ部との間に内向きフランジ部を有し、前記スラスト軸受は前記外向きフランジ部と前記内向きフランジ部との間に配置されているとよい。
【００１２】
前記外向きフランジ部を前記内向きフランジ部に向けて付勢した付勢手段を備えるとよい。
【００１３】
前記シャフトと前記シリンダブロックとに係合し、前記外向きフランジ部が前記内向きフランジ部から離間する向きへの前記シャフトの移動を阻止する補助スラスト軸受を備えてもよい。
【００１４】
【発明の実施の形態】
図１を参照して、本発明の実施の第１の形態に係る斜板式圧縮機について説明する。図３と同様な部分には同じ参照符号を付して説明を省略する。
【００１５】
図示の斜板式圧縮機も容量可変タイプのものである。この斜板式圧縮機においては、シャフト６のシリンダブロック２側端部に小径部２１を設け、ここに筒状のフランジ部品２２を嵌合しナット２３で固定している。フランジ部品２２は外向きフランジ部２４を有したものである。一方、シリンダブロック２にはブロック側ラジアル軸受４と外向きフランジ部２４との間に内向きフランジ部２５を形成する。外向きフランジ部２４と内向きフランジ部２５は軸方向で互いに対向している。
【００１６】
外向きフランジ部２４と内向きフランジ部２５との間にスラスト軸受２６を配置する。このスラスト軸受２６は図３におけるスラスト軸受１７に相当するものであり、片頭ピストン９及び斜板７を介してシャフト６に加わる圧縮反力を受けるためのものである。なおスラスト軸受２６は外向きフランジ部２４がシャフト６と一緒に回転することを許す構成のものである。
【００１７】
さらに、外向きフランジ部２４とバルブプレート１１との間に圧縮コイルバネ装置２７を備え、外向きフランジ部２４を内向きフランジ部２５に向けて付勢する。圧縮コイルバネ装置２７は付勢手段を構成している。なお圧縮コイルバネ装置２７も外向きフランジ部２４がシャフト６と一緒に回転することを許す構成のものである。
【００１８】
図１の斜板式圧縮機によると、片頭ピストン９及び斜板７を介してシャフト６に加わる圧縮反力をスラスト軸受２６を介してシリンダブロック２にて受けることになるので、内部の機構部で発生する軸方向振動がフロントハウジング３の径方向に延在した板部３ａや電磁クラッチ（図示省略）へ伝達することは阻止される。したがって、この斜板式圧縮機からの放射ノイズの発生を低減できる。
【００１９】
また、フロントハウジング３は、圧縮反力を受けないため、軸方向の剛性を低減することが可能となる。したがって、斜板式圧縮機の軸方向寸法を縮小する設計も可能になる。
【００２０】
図２に移り、本発明の実施の第２の形態に係る斜板式圧縮機について説明する。図１と同様な部分には同じ参照符号を付して説明を省略する。
【００２１】
図示の斜板式圧縮機においては、斜板７がシャフト６に一定の傾斜角をもって固定されている。したがって、この斜板式圧縮機は容量固定タイプのものである。
【００２２】
この斜板式圧縮機は、シャフト６の途中に係止された係止リング３１と、この係止リング３１とシリンダブロック２の中央部の軸方向端面との間に配置された補助スラスト軸受３２とを備えている。即ち、補助スラスト軸受３２は係止リング３１を介してシャフト６に係合しまたシリンダブロック２には直接に係合し、外向きフランジ部２４が内向きフランジ部２５から離間する向きへのシャフト６の移動を阻止している。
【００２３】
図２の斜板式圧縮機においても、圧縮反力はシリンダブロック２にて受けられるので、図１の斜板式圧縮機と同等な作用効果を奏することになる。なお、補助スラスト軸受３２がシャフト６の移動を阻止しているので、図１における圧縮コイルバネ装置２７は不要である。
【００２４】
【発明の効果】
以上説明したように、本発明による斜板式圧縮機は、内部の機構部で発生する軸方向振動に基づく放射ノイズの発生を低減できるし、また軸方向寸法の縮小も可能であるという効果を奏する。
【図面の簡単な説明】
【図１】本発明の実施の第１の形態に係る斜板式圧縮機の縦断面図である。
【図２】本発明の実施の第１の形態に係る斜板式圧縮機の縦断面図である。
【図３】従来の斜板式圧縮機の縦断面図である。
【符号の説明】
１  シリンダボア
２  シリンダブロック
３  フロントハウジング
４  ブロック側ラジアル軸受
５  ハウジング側ラジアル軸受
６  シャフト
７  斜板
９  片頭ピストン
１１  バルブプレート
１２  シリンダヘッド
１５  ローター
２１  小径部
２２  フランジ部品
２３  ナット
２４  外向きフランジ部
２５  内向きフランジ部
２６  スラスト軸受
３１  係止リング
３２  補助スラスト軸受
【図１】
0004203172.tif 000002
【図２】
0004203172.tif 000003
【図３】
0004203172.tif 000004